(57)【特許請求の範囲】
【請求項１】
毛髪固定用樹脂０．５〜５．０重量％、水５０．０〜９９．０重量％、及び毛髪水分浸透性物質を含有し、前記毛髪固定用樹脂がビニルピロリドン・Ｎ，Ｎ−ジメチルアミノエチルメタクリル酸共重合体塩、アクリル樹脂アルカノールアミン、ビニルメチルエーテル・マレイン酸モノエステル、Ｎ−メタクリロイルオキシエチル  Ｎ，Ｎ−ジメチルアンモニウム−α−Ｎ−メチルカルボキシベタイン・メタクリル酸アルキルエステル共重合体のうちから選択された１種以上であり、前記毛髪水分浸透性物質がジアルキルスルホコハク酸塩であることを特徴とする毛髪用化粧料。
【請求項２】
前記毛髪水分浸透性物質の配合量が、０．０１〜５．０重量％であることを特徴とする請求項１に記載の毛髪用化粧料。
【請求項３】
多価アルコールを含有することを特徴とする請求項１又は２に記載の毛髪用化粧料。
【請求項４】
請求項１乃至３のいずれかに記載の毛髪用化粧料が、噴霧機能を有する容器に収納されていることを特徴とする毛髪用化粧料。
【請求項５】
前記噴霧機能を有する容器の一回あたりの吐出量が、０．３〜０．８ｍｌであることを特徴とする請求項４に記載の毛髪用化粧料。
【発明の詳細な説明】
【０００１】
【発明の属する技術分野】
本発明は毛髪用化粧料に関し、その目的は、寝ぐせなどの毛髪に形成される好ましくない形状を直して整髪することができるとともに、整えたヘアスタイルを長時間保持することができる毛髪用化粧料を提供することにある。
【０００２】
【従来の技術】
寝ぐせなどの毛髪に形成される好ましくないくせは、毛髪中の水分量が多い状態で物理的な力を受けて形成される。この原因は、毛髪内部に形成される水素結合、即ち、毛髪の主要構成成分であるケラチン分子中のＣＯ基と、隣接するケラチン分子中のＮＨ基との結合である。
このような寝ぐせを直して整髪するには、毛髪内部に水を十分浸透させて水素結合を切断すればよく、具体的には毛髪に水を大量に塗布してドライヤーにより乾燥することにより行われている。
しかしながら、この方法は毛髪に相当量の水を塗布する必要があり、簡単に寝ぐせを直して整髪することはできなかった。そこで、より簡単に寝ぐせを直して整髪することができる寝ぐせ直し用化粧料が数多く創出されている。
【０００３】
一方、一旦整えたヘアスタイルを保持するために用いられる化粧料として整髪料がある。整髪料は毛髪の外側を被覆し、付着することによる物理的作用によりヘアスタイルを保持することができ、このような作用を示す成分として毛髪固定用樹脂などが配合されている。
【０００４】
【発明が解決しようとする課題】
しかしながら、上記したような従来の毛髪用化粧料には、以下に示すような問題点が存在した。
まず、従来の寝ぐせ直し用化粧料は、毛髪に形成された寝ぐせなどの好ましくない形状を直して整髪することはできるが、一旦整えたヘアスタイルを長時間保持することはできなかった。また、従来の整髪料は、整えたヘアスタイルを保持することはできるが、毛髪に形成された寝ぐせなどの好ましくない形状を直して整髪することはできなかった。
これは、ヘアスタイルの保持作用を有する毛髪固定用樹脂を配合すると、乾燥性を向上するためにアルコール類を大量に配合することが必要となり、このために寝ぐせなどの好ましくない形状を直して整髪するために必須な水の配合量が相対的に減少するからである。
【０００５】
【課題を解決するための手段】
本発明は上記した課題を解決するためになされたものであって、請求項１に係る発明は、毛髪固定用樹脂０．５〜５．０重量％、水５０．０〜９９．０重量％、及び毛髪水分浸透性物質を含有し、前記毛髪固定用樹脂がビニルピロリドン・Ｎ，Ｎ−ジメチルアミノエチルメタクリル酸共重合体塩、アクリル樹脂アルカノールアミン、ビニルメチルエーテル・マレイン酸モノエステル、Ｎ−メタクリロイルオキシエチル  Ｎ，Ｎ−ジメチルアンモニウム−α−Ｎ−メチルカルボキシベタイン・メタクリル酸アルキルエステル共重合体のうちから選択された１種以上であり、前記毛髪水分浸透性物質がジアルキルスルホコハク酸塩であることを特徴とする毛髪用化粧料に関する。
請求項２に係る発明は、前記毛髪水分浸透性物質の配合量が、０．０１〜５．０重量％であることを特徴とする請求項１に記載の毛髪用化粧料に関する。
請求項３に係る発明は、多価アルコールを含有することを特徴とする請求項１又は２に記載の毛髪用化粧料に関する。
請求項４に係る発明は、請求項１乃至３のいずれかに記載の毛髪用化粧料が、噴霧機能を有する容器に収納されていることを特徴とする毛髪用化粧料に関する。
請求項５に係る発明は、前記噴霧機能を有する容器の一回あたりの吐出量が、０．３〜０．８ｍｌであることを特徴とする請求項４に記載の毛髪用化粧料に関する。
【０００６】
【発明の実施の形態】
本発明に関する毛髪用化粧料は、必須成分として毛髪固定用樹脂、毛髪水分浸透性物質及び水が配合される。以下、本発明に係る毛髪用化粧料について説明する。
本発明に係る毛髪用化粧料には、第一の必須成分として毛髪固定用樹脂が配合される。毛髪固定用樹脂とは、水やアルコール類などの溶媒に溶解して毛髪に塗布した後に、溶媒の蒸発とともに毛髪に被膜を形成して毛髪を固定することができる物質のことである。本発明において用いられる毛髪固定用樹脂は、化粧品原料として用いられるものであれば特に限定されず、ポリビニルピロリドンの他、カルボン酸又はその誘導体を含むモノマーから構成される重合体又は共重合体などを例示することができる。
【０００７】
カルボン酸又はその誘導体を含むモノマーから構成される重合体又は共重合体としては、ビニルピロリドン・酢酸ビニル共重合体、ビニルピロリドン・Ｎ，Ｎ−ジメチルアミノエチルメタクリル酸共重合体ジエチル硫酸塩、Ｎ−メタクリロイルエチル  Ｎ，Ｎ−ジメチルアンモニウム−α−Ｎ−メチルカルボキシベタイン・メタクリル酸アルキルエステル共重合体、ビニルメチルエーテル・マレイン酸モノエステル、メトキシアルキレン無水マレイン酸共重合体、両性アクリル酸エステル共重合体、両性メタクリル酸エステル共重合体、酢酸ビニル・マレイン酸ブチル・アクリル酸イソボニル共重合体、イソブチレン・マレイン酸ナトリウム共重合体、ビニルメチルエーテル・マレイン酸系架橋型ポリマー、酢酸ビニル・クロトン酸共重合体、アクリル樹脂アルカノールアミン、ポリアクリル酸ナトリウム、アクリル酸・アクリル酸アルキル共重合体、オクチルアクリルアミド・アクリル酸エステル共重合体、ジメチルシロキサン・アクリル酸系共重合体、カルボキシビニルポリマーなどを例示することができ、アクリル酸又はメタアクリル酸若しくはそれらの誘導体を含むモノマーから構成される重合体又は共重合体が好ましい。
【０００８】
特に、ビニルピロリドン・Ｎ，Ｎ−ジメチルアミノエチルメタクリル酸共重合体ジエチル硫酸塩、アクリル樹脂アルカノールアミン、ポリビニルピロリドン、ビニルメチルエーテル・マレイン酸モノエステル、Ｎ−メタクリロイルオキシエチル  Ｎ，Ｎ−ジメチルアンモニウム−α−Ｎ−メチルカルボキシベタイン・メタクリル酸アルキルエステル共重合体のうちの１種以上を用いることが好ましい。
【０００９】
本発明に用いることができる市販のビニルピロリドン・Ｎ，Ｎ−ジメチルアミノエチルメタクリル酸共重合体ジエチル硫酸塩としては、Ｈ．Ｃ．ポリマー５（商品名、大阪有機工業社製）、アクリル樹脂アルカノールアミンとしては、プラスサイズＬ−６３３０（商品名、互応化学工業社製）を例示でき、ポリビニルピロリドンとしては、ＰＶＰ  Ｋ−９０（ＩＳＰ  ＩＮＣ社製）を、ビニルメチルエーテル・マレイン酸モノエステルとしては、ＧＡＮＴＲＥＺ  ＥＳ−２２５（商品名、ＩＳＰ  ＩＮＣ社製）を、Ｎ−メタクリロイルオキシエチル  Ｎ，Ｎ−ジメチルアンモニウム−α−Ｎ−メチルカルボキシベタイン・メタクリル酸アルキルエステル共重合体としては、ユカフォーマー３１０（商品名、三菱化学社製）を例示することができる。
【００１０】
また、その配合量は毛髪用化粧料中、０．５〜５．０重量％とすることが好ましく、１．０〜３．０重量％とすることがより好ましい。これは、０．５重量％未満の配合量では充分な整髪効果が得られず、また、５．０重量％を超えて配合したとしても整髪効果の向上は得られないばかりか、フレーキングが発生しやすくなるため、いずれの場合も好ましくないからである。
【００１１】
本発明に係る毛髪用化粧料の第二の必須成分は毛髪水分浸透性物質である。毛髪水分浸透性物質とは、少ない水でも毛髪内部に水分を浸透させることができる物質をいい、具体的には、スルホコハク酸ジアルキル塩などのジアルキルスルホコハク酸塩、パーフルオロアルキルポリオキシエチレンエタノール、ポリオキシエチレンアルキルエーテルなどを例示することができ、ジアルキルスルホコハク酸塩、ポリオキシエチレンアルキルエーテルを用いることが好ましく、ジアルキルスルホコハク酸塩を用いることがより好ましい。これは、ジアルキルスルホコハク酸塩が、各種毛髪水分浸透性物質の中で最も優れた効果を発揮することができるからである。
【００１２】
ジアルキルスルホコハク酸塩は炭素数６〜２２の直鎖又は分岐のアルキルアルコール、ヒドロキシアルコール等のアルコール類と無水マレイン酸とを反応させてジエステルとした後に、スルホン化することにより得られるアニオン性界面活性剤であり、この際に用いられるアルコール類としては、カプリルアルコール、セチルアルコール、ラウリルアルコール、ミリスチルアルコール、ステアリルアルコール、オレイルアルコール、２−エチルヘキサノール、２−メチルドデカノール、２−メチルトリデカノール等を例示することができる。
尚、ジアルキルスルホコハク酸塩の中和塩は、リチウム、ナトリウム、カリウム等のアルカリ金属を例示することができ、ナトリウム塩を用いることが、入手の面から好ましい。
【００１３】
本発明に係る毛髪用化粧料においては、ジアルキルスルホコハク酸塩としてスルホコハク酸ジアルキル塩を、特にスルホコハク酸ジオクチル塩を用いることが好ましい。これは、スルホコハク酸ジオクチル塩が、各種ジアルキルスルホコハク酸塩の中で最も優れた効果を発揮することができるからである。
【００１４】
また、市販されているスルホコハク酸ジオクチル塩としては、例えば、ＮＩＫＫＯＬ  ＯＴＰ−７５（商品名、日光ケミカルズ社製）などを例示することができる。また、パーフルオロアルキルポリオキシエチレンエタノールとしては、ＦｌｕｏｒａｄＦＣ−１７０Ｃ（商品名、住友スリーエム社製）を、ポリオキシエチレンアルキルエーテルとしては、ファインサーフ３２０（商品名、青木油脂工業社製）等を例示することができる。
【００１５】
本発明に用いる毛髪水分浸透性物質の配合量は、毛髪用化粧料中０．０１  〜５．０重量％とすることが好ましく、０．０５〜１．０重量％とすることがより好ましい。これは、０．０１重量％未満では毛髪への水分の浸透効果が望めず、寝ぐせなどの毛髪に形成される好ましくない形状を直すことができず、５．０重量％より多く配合してもそれ以上の効果が望めないばかりか、べたつき等が生じ、いずれの場合も好ましくないからである。
【００１６】
尚、本発明に係る毛髪用化粧料には所望により、風合いを向上させる目的のために多価アルコールを更に配合することができる。多価アルコールとしては、例えば、ポリエチレングリコール、エチレングリコール、プロピレングリコール、１，３−ブチレングリコール、グリセリン、ジグリセリン、トリグリセリン、グルコース、マルトース、マルチトール、スクロース、マンニトール、ソルビトール及びこれらの誘導体などが例示でき、ポリオキシエチレンメチルグルコシドやグリセリンを用いることが好ましい。また、これらは一種又は二種以上を組み合わせて用いることもできる。
多価アルコールの配合量は、毛髪用化粧料中０．０１〜１０．０重量％とするのが好ましい。これは、０．０１重量％未満の配合では添加による効果が得られず、また、１０．０重量％より多く配合すると、べたつきなどにより風合いが悪くなり、いずれの場合も好ましくないからである。
【００１７】
更に、本発明に係る毛髪用化粧料には所望により、低級アルコールを配合することができる。本発明において用いられる低級アルコールとしては、化粧料に配合できるものであれば特に限定されないが、具体的には、エタノール、イソプロパノ−ルを例示することができる。
低級アルコールの配合量は、毛髪用化粧料中４０．０重量％以下とすることが好ましく、２０．０重量％以下とすることがより好ましい。これは、４０重量％より多く配合すると、毛髪用化粧料中への水分の配合量が少なくなり、このために、毛髪に形成される寝ぐせなどの好ましくない形状を直すことができず、好ましくないからである。
【００１８】
本発明の毛髪用化粧料には、その安定性が損なわれない範囲であれば上記に記した成分の他、水溶性高分子、界面活性剤、紫外線防止剤、香料、防腐剤、キレート剤、抗菌剤、高級脂肪酸、保湿剤、清涼剤、ビタミン類、油剤、植物抽出液などを目的に応じて配合してもよい。
【００１９】
本発明に係る毛髪用化粧料は、第一、第二の必須成分のほか、以上説明したような任意の各配合成分を、第三の必須成分である水を用いて、略均一になるように分散することにより得られる。
本発明における第三の必須成分である水は一般的には精製水であり、毛髪に形成される寝ぐせなどの好ましくない形状を直して整髪するために無くてはならない重要な成分である。
その配合量は毛髪用化粧料中、５０．０〜９９．０重量％とすることが好ましく、７０．０〜９８．０重量％とすることがより好ましい。これは、５０．０重量％未満の場合、毛髪に形成された好ましくないくせを直することができず、また９９．０重量％を超えて配合すると、毛髪固定用樹脂の配合量が減少することとなり、整えたヘアスタイルを長時間保持することができず、いずれの場合も好ましくないからである。
尚、本発明に係る毛髪用化粧料は、水を用いて均一に分散するには常法に従えばよい。
【００２０】
本発明にかかる毛髪用化粧料はトリガースプレー、エアゾールスプレー、ポンプスプレー等の形態として使用することが好ましい。これは、使用時に手を汚すことなく毛髪に塗布できるからである。
【００２１】
尚、上記したような形態として使用する場合、操作性の観点からトリガースプレーを用いることが好ましい。本発明に係る毛髪用化粧料において用いることのできるトリガースプレーとしては、例えば、図１に示すような噴霧機能を有するトリガースプレーを例示することができる。
また、トリガースプレーにより一回の吐出で特定部分に形成された寝ぐせなどの好ましくない形状を直して整髪し、さらにヘアスタイルの保持を行うためには、その吐出量が一回あたり０．３ｍｌ〜０．８ｍｌとすることが望ましい。このような噴霧機能を有するトリガースプレーとしては、Ｍ−３Ｍ（商品名、吉野工業所社製）を例示することができる。
【００２２】
【実施例】
以下、本発明を実施例に基づき詳細に説明するが、本発明はこれらの実施例に限定されるものではない。尚、配合量は重量％である。
【００２３】
（試料の調製）
後記表１及び表２に記した組成に従い、実施例１〜７及び比較例１〜２の各試料を調製した。
尚、表１及び表２中のスルホコハク酸ジオクチルナトリウムとしては、ＮＩＫＫＯＬ  ＯＴＰ−７５（商品名、日光ケミカルズ社製）を、Ｎ−メタクリロイルオキシエチル  Ｎ，Ｎ−ジメチルアンモニウム−α−Ｎ−メチルカルボキシベタイン・メタクリル酸アルキルエステル共重合体としては、ユカフォーマー３０１（商品名、三菱化学社製）を用いた。
尚、ユカフォーマー３０１はエタノール溶液であることから、実施例１〜６及び比較例１〜２のＮ−メタクリロイルオキシエチル  Ｎ，Ｎ−ジメチルアンモニウム−α−Ｎ−メチルカルボキシベタイン・メタクリル酸アルキルエステル共重合体の配合量は、その換算値を用いた。
また、実施例７のＮ−メタクリロイルオキシエチル  Ｎ，Ｎ−ジメチルアンモニウム−α−Ｎ−メチルカルボキシベタイン・メタクリル酸アルキルエステル共重合体は、ユカフォーマー３０１をエバポレーターで濃縮したものを用いた。
【００２４】
（試験例１；セット力測定試験−折損強度の測定−）
１０ｃｍ、１ｇの毛束に対して上記調製した各試料をそれぞれ０．４ｇ塗布した後に、くしを用いて十分馴染ませた。７０℃で３時間乾燥させて、デシケーター内で室温に戻した後に、レオメーター（測定条件；スピード６ｃｍ／ｍｉｎ．  、ストローク２０ｍｍ、Ｔ型アダプター使用）を用いて水平に固定した毛髪を折る際の荷重値を測定した。以下の評価基準に従って評価した結果を後記表１及び表２に示す。
◎：６００Ｎ以上
○：４００Ｎ以上６００Ｎ未満
△：１００Ｎ以上４００Ｎ未満
×：１００Ｎ未満
【００２５】
（試験例２；セット保持力試験）
３０ｃｍ、２ｇの毛束に対して上記調製した各試料をそれぞれ１．０ｇ塗布した後に、くしを用いて十分馴染ませた。次に、直径１ｃｍのロッドに巻きつけて固定した後に、７０℃で３時間乾燥させた。デシケーター内で室温に戻した後、温度３５℃、湿度８５％に調整した恒温恒湿槽内で毛束を垂直に垂らし、時間毎の毛束の伸びを測定した。試験開始後１８０分後の毛束の長さを以下の評価基準に従って評価した結果を後記表１及び表２に示す。
◎：１０ｃｍ未満
○：１０ｃｍ以上１５ｃｍ未満
△：１５ｃｍ以上２０ｃｍ未満
×：２０ｃｍ以上
【００２６】
（試験例３；寝ぐせ直し効果の測定）
３０ｃｍ、２ｇの毛束に対して水を１．０ｇ塗布し、くしで十分馴染ませた後に、直径１ｃｍのロッドに巻きつけて固定し、７０℃で３時間乾燥させて、毛髪に寝ぐせ様の好ましくない形状を形成した。次に、デシケーター内で室温に戻した後に、毛束を垂直に垂らして、上記調製した各試料をそれぞれディスペンサーにより約０．６ミリリットル噴霧し、試料噴霧９０秒後の毛束の長さを以下の評価基準に従い評価した結果を後記表１及び表２に示す。
◎：２０ｃｍ以上
○：１５ｃｍ以上２０ｃｍ未満
△：１０ｃｍ以上１５ｃｍ未満
×：１０ｃｍ未満
【００２７】
【表１】
0003554815.tif 000002
【００２８】
【表２】
0003554815.tif 000003
【００２９】
表１及び表２の結果の通り、本発明にかかる毛髪用化粧料は、毛髪に形成される寝ぐせなどの好ましくない形状を直して整髪することができるとともに、整えたヘアスタイルを長時間保持できることが分かる。
【００３０】
（試験例４；噴霧機能を有する容器を用いた試験）
上記調製した実施例１の試料を表３に記載した噴霧機能を有する容器（商品名Ｍ−３Ｍ、吉野工業所社製）に収納して、実際に毛髪に塗布した際の使用性を評価した。結果を表３に示す。
【００３１】
【表３】
0003554815.tif 000004
【００３２】
表３の結果の通り、本発明にかかる毛髪用化粧料は、噴霧機能を有する容器に収納して使用すると、塗布時に手を汚すことなく、容易に目的の効果が得られることが分かる。特に、トリガータイプのスプレーを用いた場合は、毛髪に容易に、しかも、毛髪全体に塗布できるために、より簡単に寝ぐせなどの好ましくない形状を直すことができる。
【００３３】
以下、本発明にかかる毛髪用化粧料の処方例を示す。
（処方例１）
【表４】
0003554815.tif 000005
【００３４】
【発明の効果】
以上詳述した如く、本発明に係る毛髪用化粧料は、必須成分として、毛髪固定用樹脂、毛髪水分浸透性物質及び水を配合するものであるから、毛髪に形成された寝ぐせなどの好ましくない形状を直して整髪することができる。さらに、整えたヘアースタイルを長時間保持することが可能である。
また、毛髪への塗布の際に、噴霧機能を有する容器に収納して用いることにより、手を汚すことなく、容易に目的の効果を得ることができる。
【図面の簡単な説明】
【図１】本発明に係る毛髪用化粧料において好適に用いることができる噴霧機能を有する容器の断面図である。
【図１】
0003554815.tif 000006